(57)【特許請求の範囲】
【請求項１】
前面ガラスを取り付けるヘッドランプケースの前面に形成された第１の開口部から該ヘッドランプケース内に光源を備えた光学部品とともに挿入されて固定されるヘッドランプ用ＬＥＤ光源点灯装置であって、
ヘッドランプ用ＬＥＤ光源点灯装置本体の構成部品を該構成部品が発する熱を放熱する機能を有する筺体に格納し、
前記ヘッドランプケースの内壁に沿わせて固定する平面状の固定部位を前記筺体の開口周縁部に設け、 
前記筐体の少なくとも一部を前記ヘッドランプケースに設けた第２の開口部から外部に突出させた
ことを特徴とするヘッドランプ用ＬＥＤ光源点灯装置。
【請求項２】
前面ガラスを取り付けるヘッドランプケースの前面に形成された第１の開口部から該ヘッドランプケース内に光源を備えた光学部品とともに挿入されて固定されるヘッドランプ用ＬＥＤ光源点灯装置であって、
ヘッドランプ用ＬＥＤ光源点灯装置本体の構成部品を該構成部品が発する熱を放熱する機能を有する筐体に格納し、
該筐体の開口を塞ぐ閉塞部材を備え、
前記ヘッドランプケースの内壁に沿わせて固定する平面状の固定部位を前記閉塞部材に設け、
前記筐体の少なくとも一部を前記ヘッドランプケースに設けた第２の開口部から外部に突出させた
ことを特徴とするヘッドランプ用ＬＥＤ光源点灯装置。
【請求項３】
前記筐体の前記ヘッドランプケースの外側に突出する部位に、該ヘッドランプケースの外壁に当接する凸部または前記ヘッドランプケースの外側に備えた凸部が勘合する凹部を備えたことを特徴とする請求項１または請求項２記載のヘッドランプ用ＬＥＤ光源点灯装置。
【請求項４】
前記平面状の固定部位と前記ヘッドランプケースの内壁間に防水部材を備えたことを特徴とする請求項１または請求項２記載のヘッドランプ用ＬＥＤ光源点灯装置。
【請求項５】
前記平面状の固定部位と前記ヘッドランプケースの間、および前記筐体と前記閉塞部材の間に、防水部材を備えたことを特徴とする請求項２記載のヘッドランプ用ＬＥＤ光源点灯装置。
【請求項６】
前記閉塞部材に設けた前記平面状の固定部位を前記ヘッドランプケースに固定する固定部材の取り付け方向と、前記筐体を前記閉塞部材に固定する固定部材の取り付け方向を、異なる方向としたことを特徴とする請求項２記載のヘッドランプ用ＬＥＤ光源点灯装置。
【請求項７】
前記閉塞部材に設けた前記平面状の固定部位を前記ヘッドランプケースに固定する固定部材装着位置と、前記筐体を前記閉塞部材に固定する固定部材装着位置を、略同一円上の互いに干渉しない位置としたことを特徴とする請求項２記載のヘッドランプ用ＬＥＤ光源点灯装置。
【発明の詳細な説明】
【技術分野】
【０００１】
この発明は、ヘッドランプ用光源としての放電灯やＬＥＤ（Ｌｉｇｈｔ  Ｅｍｉｔｔｉｎｇ  Ｄｉｏｄｅ）を点灯するヘッドランプ用光源点灯装置（以下、点灯装置と略称する）に関するものである。
【背景技術】
【０００２】
ヘッドランプ用光源としては、従来のハロゲン電球に代替して、長寿命で明るい放電灯（ＨＩＤランプ（Ｈｉｇｈ  Ｉｎｔｅｎｓｉｔｙ  Ｄｉｓｃｈａｒｇｅ  Ｌａｍｐ））が普及し、次いでＬＥＤの普及も進行している。
【０００３】
特に、ＬＥＤは長寿命で交換する必要がないため、従来のハロゲン電球や放電灯を用いる場合に必要であった光源交換用開口部をヘッドランプケースに設ける必要なく、ヘッドランプケースは簡素な構成とすることができる。ただし、ＬＥＤは放電灯と同様に点灯用の点灯装置が必要であり、この点灯装置を取り付ける空間を確保し、その点灯装置の組み付け性の向上が要求され、簡素なヘッドランプケースに簡単に組み付けられる形状が要望される。
【０００４】
特許文献１に記載された従来の先行技術は、ＬＥＤを凹面鏡に対向した位置に配置して、ＬＥＤが発する光を車両の前方に照射するものであり、電源回路（点灯装置）を光源モジュール（ＬＥＤ）と一体化して、ヘッドランプケースの上部に配置した構成である。
【０００５】
特許文献２に記載された従来の先行技術は、ＬＥＤを光源としたヘッドランプにおいて、点灯装置の発する熱を効果的に放熱するために、点灯装置を筐体（ヘッドランプケース）の外面に取り付け、ヘッドランプケースの内部空間と点灯装置との間に遮熱部を設けたものであり、点灯装置をヘッドランプケースの下部に配置した構成である。
【先行技術文献】
【特許文献】
【０００６】
【特許文献１】特開２００５−０６３７５４号公報
【特許文献２】特開２００９−２８３１９９号公報
【発明の概要】
【発明が解決しようとする課題】
【０００７】
しかしながら、上記いずれの先行技術においても、点灯装置をヘッドランプケースの前面開口部から挿入し、この挿入方向であるヘッドランプケースの前面開口部を形成する軸線方向に沿って点灯装置を固定することの記載はなく、点灯装置は光学部品等の他のヘッドランプ構成部品を組み付ける工程とは異なる工程において組み付けざるを得ず、一連の連続作業によってヘッドランプを組み立てることができない。このため、複雑な工程と、非連続な作業は、生産性（量産性）を損なう可能性があり、製品の製造コストを高揚させるという課題があった。
【０００８】
この発明は、上記のような課題を解消するためになされたもので、光学部材を含む光源や前面ガラスと同様に、ヘッドランプケースの前面開口部から挿入して組み付け、そのヘッドランプケースの前面開口部を形成する軸線方向に沿って固定できる構成とし、組み付け性を重視した簡素な構成のヘッドランプ用ＬＥＤ光源点灯装置を提供することを目的とする。
【課題を解決するための手段】
【０００９】
この発明に係るヘッドランプ用ＬＥＤ光源点灯装置は、前面ガラスを取り付けるヘッドランプケースの前面に形成された第１の開口部から該ヘッドランプケース内に光源を備えた光学部品とともに挿入されて固定される構成であって、ヘッドランプ用ＬＥＤ光源点灯装置本体の構成部品を該構成部品が発する熱を放熱する機能を有する筺体に格納し、ヘッドランプケースの内壁に沿わせて固定する平面状の固定部位を筺体の開口周縁部に設け、筐体の少なくとも一部をヘッドランプケースに設けた第２の開口部から外部に突出させたことを特徴とする。
【発明の効果】
【００１０】
この発明によれば、光学部材を含む光源や前面ガラスと同様に、ヘッドランプケースの前面開口部から挿入して、平面状の固定部位をヘッドランプケースの内壁に沿わせて固定することにより、同一方向からの一連の連続した組み付け作業工程によって、点灯装置をヘッドランプケース内部へ挿入し組み立てができるために、作業効率が高くなり、ヘッドランプの生産性が向上する。
【図面の簡単な説明】
【００１１】
【図１】この発明に係る点灯装置を組み付け固定したヘッドランプの縦断側面図である。
【図２】図１の各構成部品の分解側面図である。
【図３】この発明に係る点灯装置の組み付け固定位置を図１とは異なる位置としたヘッドランプの縦断側面図である。
【図４】図３の１−１線に沿う横断面図である。
【図５】図３の変形例を示す要部の縦断側面図である。
【図６】図５の２−２線に沿う横断面図である。
【図７】点灯装置の外観斜視図である。
【図８】点灯装置の外観ケースの組み付け前の状態を示す斜視図である。
【図９】ヘッドランプケースの内壁に点灯装置との間に介在させた板部材の平面状の固定部位を固定した状態を示す要部の縦断側面図である。
【図１０】点灯装置との間に介在させた板部材に対向してヘッドランプケースに開口を設けた要部の縦断側面図である。
【図１１】板部材に形成した放熱フィンをヘッドランプケースの開口から外部に突出させた状態を示す要部の縦断側面図である。
【図１２】放熱フィン側から見た板部材の正面図である。
【図１３】構成部品を筺体内に格納して構成し、この筺体の開口を覆う閉塞部材を該筺体の平面状の固定部位とともにヘッドランプケースの内壁に固定する要部の縦断面図である。
【図１４】構成部品を筺体内に格納して構成し、この筺体の開口を覆う閉塞部材を該筺体に対する固定と、前記閉塞部材のヘッドランプケースの内壁に対する固定を異なる方向から行う要部の縦断面図である。
【図１５】構成部品を筺体内に格納して構成し、この筺体をネジを用いることなくヘッドランプケースの内壁に固定する要部の縦断面図である。
【図１６】図１５において用いる固定治具を示し、（ａ）は一部の斜視図，（ｂ）は側面図である。
【図１７】構成部品を筺体内に格納して構成し、この筺体をネジを用いることなくヘッドランプケースの内壁に固定する他の構成を示す要部の縦断面図である。
【図１８】構成部品を筺体内に格納して構成し、この筺体をネジを用いることなくヘッドランプケースの内壁に固定する更に他の構成を示す分解斜視図である。
【図１９】構成部品を筺体内に格納して構成し、この筺体をヘッドランプケースの開口から外部に露出させて固定したヘッドランプの縦断側面図である。
【図２０】ヘッドランプケースに対する筺体のビス取り付け部の拡大断面図である。
【図２１】図１９の変形例を示す要部の拡大断面図である。
【図２２】図２１の左側面図である。
【図２３】図２１の右側面図である。
【発明を実施するための形態】
【００１２】
実施の形態１．
図１はこの発明に係る点灯装置を組み付け固定したヘッドランプの縦断側面図を示すもので、点灯装置は防水構造のヘッドランプケースの内壁に組み付ける構造であり、点灯装置は防水構造を有する必要はない。ヘッドランプケース１の内部には、光源２を備えた光学部品３が不図示の支持部材を介して取り付け固定され、その光源２を点灯制御する点灯装置４が平面状の固定部位４ａによってヘッドランプケース内壁に固定されている。ヘッドランプケース１の前面開口部１ａには前面ガラス５が取り付けられている。光源２と点灯装置４とはコネクタ６を介して配線（ハーネス）７で接続され、点灯装置４は配線７を介して外部の電源供給源（図示せず）に接続されている。この配線７はヘッドランプケース１の穴１ｂに嵌めた絶縁物８の中を通って外部に取り出されている。
【００１３】
なお、放電灯を点灯する点灯装置の構成部品としては
・バッテリ電圧を放電灯の電圧に昇圧するコイルやＦＥＴおよび整流ダイオード等によって構成されるＤＣ／ＤＣコンバータ部
・ＤＣ／ＤＣコンバータによって生成される電圧を矩形波に変換するインバータ部
・放電灯に始動用の高電圧パルスを印加するイグナイタ部
・ＬＥＤに通電される電流を検出する電流検出部
・ＬＥＤに印加される電圧を検出する電圧検出部
・電流検出部の検出電流を一定にする制御や、電圧検出部の検出電圧が異常なときの動作停止制御などを行う制御部
・電源からの電力入力と、ＬＥＤへの電力出力を行うコネクタ部
があり、これ等を筐体に格納し、筐体の一部は格納した構成部品が発する熱を放出するヒートシンクとして機能する。
【００１４】
また、ＬＥＤを点灯する点灯装置の構成部品としては
・バッテリ電圧をＬＥＤの電圧に昇圧あるいは降圧するコイルやＦＥＴおよび整流ダイオード等によって構成されるＤＣ／ＤＣコンバータ部または、ＬＥＤに通電する電流を抑制する電流制限部
・ＬＥＤに通電される電流を検出する電流検出部
・ＬＥＤに印加される電圧を検出する電圧検出部
・電流検出部の検出電流を一定にする制御や、電圧検出部の検出電圧が異常なときの動作停止制御などを行う制御部
・電源からの電力入力と、ＬＥＤへの電力出力を行うコネクタ部
があり、これ等を筐体（使用しない場合もある）に格納し、筐体の一部は格納した構成部品が発する熱を放出するヒートシンクとして機能する。
【００１５】
図２は図１の組み付け工程を説明する各構成部品の分解側面図を示すもので、構成部品をヘッドランプケース１の前面開口部１ａから矢印方向に挿入し、組み立てられることを模式的に示し、中央の線Ｏはヘッドランプケース１の前面開口部１ａを形成する軸線方向を示す。
【００１６】
まず、点灯装置４を前面開口部１ａからヘッドランプケース１内に挿入して背面の平面状の固定部位４ａを該ヘッドランプケースの垂直内壁に接着、ネジ等の各種の固定手段で固定する。ついで、光源２と点灯装置４とを配線７の両端に設けたコネクタ６で接続し、一端をコネクタ６に接続した別の配線７を絶縁物８の中を通し、ヘッドランプケース１の垂直内壁の穴１ｂを通して外部に取り出すとともに、この穴１ｂに絶縁物８を挿入固定する。そして、光源２を備えた光学部品３を前面開口部１ａからヘッドランプケース１内に挿入して不図示の支持部材を介して取り付け固定した後、前面ガラス５の全周をヘッドランプケース１の前面開口部１ａの端面全周に形成された凹部１ｃに嵌め込んで気密に固定する。
【００１７】
図３は点灯装置４の取り付け位置を図１の場合とは異なるヘッドランプケース１の底面内壁に固定する構成例であり、この底面内壁に点灯装置４の平面状の固定部位４ａを支持する支持部９を形成したものである。この支持部９は図４に示すように、平面状の固定部位４ａの両側部を挿入する凹部９ａを形成し、この凹部９ａを向かい合わせに、平面状の固定部位４ａの幅だけ離して対向して設けたものである。従って、点灯装置４を前面開口部１ａからヘッドランプケース１内に挿入して、平面状の固定部位４ａの両側部を図４に示すように、支持部９の凹部９ａに嵌めて押し込むことにより、点灯装置４をヘッドランプケース１内の所定位置に組み付け固定することができる。
【００１８】
図５は点灯装置４の取り付け位置をヘッドランプケース１の底面内壁に固定する他の変形例を示す要部の縦断側面図、図６はその横断面図であり、ヘッドランプケース１の底面内壁に点灯装置４を受ける受け台１ｅを設けるとともに、この受け台１ｅを挟むように両側に支持部９を形成している。
【００１９】
点灯装置４は図８に示すように、コネクタ６を接続するコンセント１２を取り付けた基板１０と該基板を覆うカバー１１とからなる。基板１０は両側縁に平面状の固定部位として係合片１０ａ，１０ａを突設して有し、カバー１１は上面にコンセント１２が通る開口１１ａを有し、両側縁には係合片１０ａ，１０ａの間に位置する折り曲げ片１１ｂ，１１ｂが突設され、後端縁にネジ通し穴１３を設けた取り付け片１１ｃが突設されている。
【００２０】
上記の構成であるから、カバー１１を開口１１ａにコンセント１２を通して基板１０に被せ、両側縁の折り曲げ片１１ｂ，１１ｂを基板裏側に折り返して図７に示すように組み付ける。そして、この組み付けられた点灯装置４をヘッドランプケース１に前面開口部１ａから挿入し、カバー１１の両側に突出する係合片１０ａ，１０ａを支持部９の凹部９ａに嵌めて押し込み、取り付け片１１ｃを受け台１ｅの前面に当接させ、穴１３に通したネジ１４を受け台１ｅにねじ込むことにより、抜け止めが施されて点灯装置４は強固にヘッドランプケース１内に固定される。
【００２１】
上記のように、実施の形態１によれば、光学部材を含む光源や前面ガラスと同様に、同一方向からヘッドランプケース１に前面開口部１ａから挿入して、平面状の固定部位４ａをヘッドランプケース１の内壁に沿わせて固定することにより、一連の連続した作業工程により、点灯装置４をヘッドランプケース１内部へ挿入し組み立てができるために、作業効率が高くなり、ヘッドランプの生産性が向上する。
【００２２】
実施の形態２.
図９は実施の形態２を示すもので、ヘッドランプケース１の内壁に点灯装置４の平面状の固定部位４ａをネジ１５で固定する状態を示す要部の縦断側面図であり、そのヘッドランプケース１の垂直面に外部にねじ込み部１６を突設させたものである。
【００２３】
この構成により、点灯装置４を前面開口部１ａからヘッドランプケース１内に挿入して、平面状の固定部位４ａの周辺にあけたネジ通し穴（図示せず）に通したネジ１５をねじ込み部１６にねじ込んで固定する。この場合、点灯装置４の構成部品が発する熱を放熱する機能を有する板部材１７を、ヘッドランプケース１の内壁と点灯装置４の平面状の固定部位４ａとの間に介在させる。この板部材１７としては、アルミ等の熱伝導性が高い部材を使用し、点灯用の電子部品等の構成部品を支えると同時に電子部品の発する熱を板部材１７から放熱する。
【００２４】
なお、作業員の指や工具および異物の侵入により、構成部品が破損することを防ぐために、前記図７，図８に示したように、構成部品を覆う樹脂製のカバーを使用し、あるいは、ラジオノイズ減衰等のノイズの影響を抑えるために構成部品を覆う金属製のカバーを使用することもできる。
【００２５】
上記のように、実施の形態２によれば、点灯装置４をヘッドランプケース１内に組み付け固定し、この固定状態において、構成部品が発する熱を板部材１７を介して放熱することができ、構成部品の過熱を回避でき、構成部品の劣化を防ぎ、故障を防ぐことができる。
【００２６】
実施の形態３．
図１０は実施の形態３を示すもので、点灯装置４の平面状の固定部位４ａとともに固定した板部材１７に対向してヘッドランプケース１に開口１８を設けた要部の縦断側面図であり、板部材１７の少なくとも一部を開口１８から外側に露出させる。
【００２７】
この実施の形態３によれば、ヘッドランプケース１の中は、組み入れられている点灯装置４と光源２が発する熱がこもり、高温になりやすいが、点灯装置４の構成部品が発する熱をヘッドランプケース１の開口１８から露出した板部材１７を介して外側へ放熱する。一方、この開口１８に対する防水性を確保するために、ヘッドランプケース１の内壁と板部材１７の平面状の固定部位１７ａとの間に接着剤やゴムシート等の防水部材１９を介在させているので、ヘッドランプケース１内への水の浸入を防ぐことができ、ヘッドランプケース１の一部を開口して点灯装置の一部を露出させても、ヘッドランプケース１の防水性が確保できる。
【００２８】
実施の形態４．
図１１，図１２は実施の形態４を示すもので、板部材１７に形成した放熱フィン２０をヘッドランプケース１の開口１８から外部に突出させた構成であり、他の構成は図１０の実施の形態３と同じである。したがって、この実施の形態４によれば、ヘッドランプケース１の防水性を確保するとともに、点灯装置４の構成部品が発する熱の放熱効果をより高める効果がある。
【００２９】
実施の形態５．
図１３は実施の形態５を示すもので、点灯装置４の構成部品が発する熱を放熱する機能を有する断面コ字型の筺体２１に点灯装置４の構成部品を収納固定し、この筺体２１の開口端に外向きに形成した鍔部を平面状の固定部位２１ａとし、この固定部位２１ａを接着剤やゴムシート等の防水部材１９を介在させ、かつ、筺体２１の開口端を覆う閉塞部材（プレート）２２を重ねて、全体をネジ１５でヘッドランプケース１の内壁に押圧固定した構成である。
【００３０】
筐体２１の材料は格納した構成部材の発する熱を放熱する熱伝導性の高いアルミ等を使用したもので、この筐体２１の外側表面に放熱効果を高める放熱用のフィンを形成することもできる。なお、この筐体２１の開口部を塞ぐ閉塞部材２２としては安価で成形性の良好な樹脂を使用し、ラジオノイズ減衰等のノイズ対策用部材としては金属を使用することができる。
【００３１】
この実施の形態５によれば、点灯装置４の構成部品を収納した筐体２１がヘッドランプケース１の外部に突出するため、ヘッドランプケース１内の空間を占拠することなく、空間を有効に使用でき、放熱効果の高い点灯装置を構成することができる。また、ヘッドランプケース１の一部を開口して、点灯装置４の一部を露出させても、防水部材１９によってヘッドランプケース１の防水性が十分に確保できる。
【００３２】
実施の形態６．
図１４は実施の形態６を示すもので、放熱機能を有する筐体２１と、この筐体２１の開口部を塞ぐ閉塞部材２２を用いて構成し、筐体２１の少なくとも一部をヘッドランプケース１に設けた開口１８を貫通して外部に突出させた構成である。筐体２１の材料は格納した構成部材の発する熱を放熱する熱伝導性の高いアルミ等を使用したもので、この筐体２１の外側表面に放熱効果を高める放熱用のフィンを形成することもできる。なお、この筐体２１の開口部を塞ぐ閉塞部材２２としては、安価で成形性の良好な樹脂を使用し、ラジオノイズ減衰等のノイズ対策用部材としては、金属を使用することができる。
【００３３】
筐体２１は接着剤やゴムシート等の防水部材１９を介在させて閉塞部材２２にネジ１５で取り付け、この筺体２１を前面開口部１ａからヘッドランプケース１に挿入し、筐体２１を開口１８から外部に突出させて閉塞部材２２の周辺を防水部材１９を介してヘッドランプケース１の内壁に当接させ、その周辺の平面状の固定部位２２ａをネジ１５でヘッドランプケース１の内壁に押圧固定する。
【００３４】
この実施の形態６によれば、筐体２１は閉塞部材２２に、閉塞部材２２はヘッドランプケース１の内壁にそれぞれ異なる方向から固定するので、筐体２１内の構成部品が故障して交換するときには、筐体２１だけを取り外して交換することができ、メンテナンスが可能になり、修理に要する費用を低く抑えることができる。
【００３５】
実施の形態７．
図１５は実施の形態７を示すもので、実施の形態５，６に示した点灯装置４を収納した筺体２１の一部をヘッドランプケース１の外側に突出する構成において、筺体２１をネジを用いることなくヘッドランプケース１にスナップフィット形式で取り付け固定するようにしたもので、この実施の形態７ではヘッドランプケース１の開口縁と筺体２１との間に介在させる固定部材２３を設けたものである。
【００３６】
この固定部材２３は図１６（ａ），（ｂ）に示すように、金属板に両面側に切り起こし片２３ａ，２３ｂを設けたもので、前面開口部１ａからヘッドランプケース１に挿入した筺体２１の外周面に固定部材２３を当接させた状態で開口１８に圧入する。これにより、切り起こし片２３ａは圧入時開口の縁で押圧されて縮径するが、開口１８を通過すると復元してヘッドランプケース１の外面に当接し、筐体２１がヘッドランプケース１の内側に戻らないように機能する。また、他方の切り起こし片２３ｂは弾性復元力で筺体２１の外面に当接して該筺体を強固に保持する。
【００３７】
図１７は実施の形態７の変形例を示すもので、ヘッドランプケース１の開口１８の縁部を外細りに折り返して係止用凸部１ｄを形成し、筺体２１の先端部外周面に係合用凹部２１ａを形成し、前面開口部１ａからヘッドランプケース１に挿入した筺体２１を開口１８から外側に突出させると、その突出過程において、外側に押し広げられた係止用凸部１ｄが筺体２１の先端部が通過し終わると、縮径して筺体２１の係合用凹部２１ｂに係合して筐体２１がヘッドランプケース１の内側に戻らないように機能する。
【００３８】
この実施の形態７によれば、筺体２１を組み付けるときに、ネジ等の固定用部材を用いることなく、特殊な工具を使用せずに簡単に組み付け固定でき、ネジ等の固定部材の削減によるコストの低減と、工作性の向上ができる。
【００３９】
実施の形態８．
図１８は実施の形態８を示すもので、筺体２１をヘッドランプケース１にバヨネット形式で取り付け固定するようにしたもので、筺体２１の外周面に複数個の係止用凸部２４ａ，２４ｂ，２４ｃ（符号２４ｃは図示せず）を設け、ヘッドランプケース１の開口縁には係止用凸部２４ａ，２４ｂ，２４ｃが通過する、切欠き２５ａ，２５ｂ，２５ｃを設けた構成である。
【００４０】
上記の構成であるから、防水部材１９を嵌め、筺体２１をヘッドランプケース１内に挿入し、係止用凸部２４ａ，２４ｂ，２４ｃを、切欠き２５ａ，２５ｂ，２５ｃに合わせて開口１８を貫通させた後、矢印方向に回転させて、係止用凸部２４ａ，２４ｂ，２４ｃをヘッドランプケース１の外面に接触させる。この場合、係止用凸部２４ａ，２４ｂ，２４ｃに回転方向に厚みが厚くなるように斜面を形成しておけば、回転終了時、防水部材１９を強く押圧して、筺体２１を強固にヘッドランプケース１内に組み付け固定することができる。
【００４１】
また、筐体２１の係止用凸部２４ａ，２４ｂ，２４ｃはヘッドランプケース１の開口１８を貫通する部位に設けるものであり、図１１の放熱用フィン部や図１３，図１４の筐体に設けることもできる。
【００４２】
この実施の形態８によれば、実施の形態７と同様に、点灯装置４を組み付けるときに、ネジ等の固定用部材を用いることなく、特殊な工具を使用せずに簡単に組み付けて固定でき、ネジ等の固定部材の削減によるコストの低減と、工作性の向上ができる。
【００４３】
実施の形態９．
図１９は実施の形態９を示すもので、ヘッドランプの後方直近まで該ヘッドランプを構成する部材以外の車載部材が配置される場合は、ヘッドランプケース１の前面開口部１ａを形成する軸線方向に直交する（垂直な）内壁を確保することは困難なため、筐体２１の一部が貫通する開口１８をヘッドランプケース１の傾斜した内壁に形成し、ヘッドランプケース１に当接する筐体２１の平面状の固定部位２１ａを該ヘッドランプケースの傾斜した内壁に沿わせながらも、図２０に示すように、固定用のネジ１５の締め付け軸線方向をヘッドランプケース１の前面開口部１ａを形成する軸線方向にする。
【００４４】
なお、閉塞部材２２に設ける固定用のネジ座面２２ｂを図２０に示すように、ヘッドランプケース１の前面開口部１ａを形成する軸線Ｏに対して直交する面にすれば、ネジ１５による締め付け力が安定して、点灯装置４を構成する筐体２１の組み付け性が向上する。
【００４５】
この実施の形態９によれば、ヘッドランプケース１の前面開口部１ａを形成する軸線方向に対して直交する（垂直な）内壁以外の内壁に筐体２１を組み付けることができるため、筐体２１を装着する部位選定の自由度が拡大し、空いている空間を使用することで、車両の空間を有効に利用することができ、ヘッドランプの後部を使用しないために、ヘッドランプの前後方向の長さを短縮できる。
【００４６】
また、筐体２１をヘッドランプケース１に組み付けるときに使用するネジ回し（ドライバ）の回転軸をヘッドランプケース１の前面開口部１ａの軸線と揃えることができて、作業性が向上する。
【００４７】
実施の形態１０．
図２１〜図２３は実施の形態１０を示すもので、構成部品を格納する筐体２１と該筐体の開口部を塞ぐ閉塞部材２２の間に防水部材１９を備え、閉塞部材２２に設けた平面状の固定部位２２ａをヘッドランプケース１に固定するネジ１５の配置位置と、筐体２１を閉塞部材２２に固定するネジ１５の配置位置をそれぞれ略円周上に配置し、筐体２１を固定するネジ１５を配置する角度と、閉塞部材２２を固定するネジ１５を配置する角度を互いに干渉しない異なる角度とした構成である。
【００４８】
この実施の形態１０によれば、筐体２１を固定する位置と閉塞部材２２を固定する位置が互いに干渉しないので、筺体２１が占有する面積を小さくすることができ、平面状の固定部位２１ａを含めた筺体２１の大きさを小形にすることができ、筺体２１を取り付けるヘッドランプケース１の内壁の面積を狭くすることができる。また、ヘッドランプケース１内への水の浸入を防ぎ、ヘッドランプケース１の防水性と高い放熱性を確保できる。
【００４９】
実施の形態１１．
実施の形態１から実施の形態１０の点灯装置４によって点灯する光源としては、ＬＥＤを含む半導体光源を用いる。このＬＥＤを光源とすると、長寿命で交換の必要がなく、組み付け性の高い点灯装置が有効である。
【００５０】
なお、本願発明はその発明の範囲内において、各実施の形態の自由な組み合わせ、あるいは各実施の形態の任意の構成要素の変形、もしくは各実施の形態において任意の構成要素の省略が可能である。
【図１】
0005393889.tif 000002
【図２】
0005393889.tif 000003
【図３】
0005393889.tif 000004
【図４】
0005393889.tif 000005
【図５】
0005393889.tif 000006
【図６】
0005393889.tif 000007
【図７】
0005393889.tif 000008
【図８】
0005393889.tif 000009
【図９】
0005393889.tif 000010
【図１０】
0005393889.tif 000011
【図１１】
0005393889.tif 000012
【図１２】
0005393889.tif 000013
【図１３】
0005393889.tif 000014
【図１４】
0005393889.tif 000015
【図１５】
0005393889.tif 000016
【図１６】
0005393889.tif 000017
【図１７】
0005393889.tif 000018
【図１８】
0005393889.tif 000019
【図１９】
0005393889.tif 000020
【図２０】
0005393889.tif 000021
【図２１】
0005393889.tif 000022
【図２２】
0005393889.tif 000023
【図２３】
0005393889.tif 000024